(57)【特許請求の範囲】
【請求項１】
大径部と小径部とが徐々に縮径する縮径部を介して一体化された形状をし、大径部側を上方にして配管されるようになっているとともに、大径部の上端が閉塞している縦管路と、上端縁が前記大径部の上端に略一致するように縦管路の大径部に排水縦管または伸頂通気管の下端に繋がる横管が連接される１つの横管路と、上階の床とその下の階の天井との間に形成される配管空間に配管される上階の排水の流路となる横枝管が連接される少なくとも１つの横管路とを備える集合管継手。
【請求項２】
請求項１に記載の集合管継手が、上階の床と、その下の階の天井との間に形成された配管空間に横管路を臨ませるように大径部側を上側にして配置され、この集合管継手の小径部が下の階の室外壁面に沿って配設された排水縦管路を形成する排水縦管に接続されているとともに、前記集合継手の上端縁が前記大径部の上端に略一致するように縦管路の大径部に排水縦管または伸頂通気管の下端に繋がる横管が連接される１つの横管路に、前記排水縦管とずれた位置で上階の室外壁面に沿って垂下される排水縦管または伸頂通気管の下端に繋がる横管が接続され、残りの横管路に前記配管空間に配設された上階の排水の流路となる横枝管が接続されている多層階建築物の排水配管構造。
【請求項３】
請求項１に記載の集合管継手が、最上階の床と、その下の階の天井との間に形成された配管空間に横管路を臨ませるように大径部側を上側にして配置され、この集合管継手の小径部が下の階の室外壁面に沿って配設された排水縦管路を形成する排水縦管に接続されているとともに、前記集合継手の上端縁が前記大径部の上端に略一致するように縦管路の大径部に伸頂通気管の下端に繋がる横管が連接される１つの横管路に、前記排水縦管とずれた位置で上階の室外壁面に沿って垂下される伸頂通気管の下端に繋がる横管が接続され、残りの横管路に前記配管空間に配設された最上階の排水の流路となる横枝管が接続されている多層階建築物の排水配管構造。
【発明の詳細な説明】
【０００１】
【発明の属する技術分野】
本発明は、集合管継手およびこの集合管継手を用いた多層階建築物の排水配管構造に関する。
【０００２】
【従来の技術】
中層、高層等の多層階の建築物では、排水縦管と各階の排水をこの排水縦管に導く横枝管とが、集合管継手と称される継手を介して接続されている。
図３に示すように、従来の集合管継手１００は、大径部１１１と小径部１１２とが徐々に下方に縮径する縮径部１１３によって一体化された形状の縦管路１１０を有し、大径部１１１周面に横枝管が接続される複数の横管路１２０がその一端を開口させるように設けられているとともに、大径部１２０上面に上方の排水縦管または伸頂通気管の下端が接続される受口１３０が設けられている。
【０００３】
そして、横枝管および横管路１２０を介して大径部１１１に流入した排水を縮径部１１３で集水するとともに、縮径部１１３の内面のテーパあるいは縮径部内面に設けられた螺旋溝や旋回羽根によって旋回流にして小径部１１２に接続された排水縦管に流下させるようになっている。
すなわち、この集合管継手１００は、各階の排水が横枝管から多量に排水縦管に流入しようとした場合でも、縮径部１１３で排水を常に旋回流にして小径部１１２から下方の排水縦管に流入させるようになっているので、集合管継手１００および排水縦管の中央に常に空気芯を形成することができ、排水縦管の閉塞をなくすることができる。したがって、排水縦管のつまりによる圧変化によって、各階の排水管に設けられたトラップの封水効果が損なわれることを防止できるようになっている。
【０００４】
しかし、マンションなどの多層階建築物では、図３に示すように、上の階２００と下の階２０１とで間取りが異なり、上の階２００の室外壁に沿って垂下される伸頂通気管（排水縦管）３００と、下の階２０１の室外壁に沿って垂下される排水縦管４００とを垂直に並べることができない場合がある。
このような場合、図３に示すように、従来の集合管継手１００では、大径部１１１の上方に設けられた受口１３０と、伸頂通気管（あるいは排水縦管）３００の下端とを、エルボ３０１および横管３０２を介して接続させなければならない。
【０００５】
したがって、上の階２００と下の階２０１との間に形成される配管空間５００に、エルボ３０１および横管３０２の高さ分だけ、他の配管空間６００より無駄な高さが必要になり、建築物の建築コストが上がる恐れがある。
そこで、図示していないが、受口１３０を盲板で塞ぐとともに、伸頂通気管（あるいは排水縦管）３００の下端に繋がる横管３０２を横管路１２０のうちの１つに接続する方法も考えられるが、この場合でも、受口１３０および盲板の厚み分だけ、やはり配管空間を余分にとる必要がある。
【０００６】
【発明が解決しようとする課題】
本発明は、このような事情に鑑みて、上階とその下の階との間取りが異なり、上方から垂下される伸頂通気管あるいは排水縦管と、集合管継手の下方に垂下される排水縦管との位置がずれる場合でも、上階の床とその下の階の天井との間に形成された配管空間を、他の配管空間と同一の高さにすることができる集合管継手およびこの集合管継手を用いた多層階建築物の排水配管構造を提供することを目的としている。
【０００７】
【課題を解決するための手段】
このような目的を達成するために、本発明にかかる集合管継手は、大径部と小径部とが徐々に縮径する縮径部を介して一体化された形状をし、大径部側を上方にして配管されるようになっているとともに、大径部の上端が閉塞している縦管路と、上端縁が前記大径部の上端に略一致するように縦管路の大径部に排水縦管または伸頂通気管の下端に繋がる横管が連接される１つの横管路と、上階の床とその下の階の天井との間に形成される配管空間に配管される上階の排水の流路となる横枝管が連接される少なくとも１つの横管路とを備える構成とした。
【０００８】
本発明にかかる多層階建築物の排水配管構造は、請求項１に記載の集合管継手が、上階の床と、その下の階の天井との間に形成された配管空間に横管路を臨ませるように大径部側を上側にして配置され、この集合管継手の小径部が下の階の室外壁面に沿って配設された排水縦管路を形成する排水縦管に接続されているとともに、前記集合継手の上端縁が前記大径部の上端に略一致するように縦管路の大径部に排水縦管または伸頂通気管の下端に繋がる横管が連接される１つの横管路に、前記排水縦管とずれた位置で上階の室外壁面に沿って垂下される排水縦管または伸頂通気管の下端に繋がる横管が接続され、残りの横管路に前記配管空間に配設された上階の排水の流路となる横枝管が接続されている構成とした。
また、本発明にかかる多層階建築物の排水配管構造は、請求項１に記載の集合管継手が、最上階の床と、その下の階の天井との間に形成された配管空間に横管路を臨ませるように大径部側を上側にして配置され、この集合管継手の小径部が下の階の室外壁面に沿って配設された排水縦管路を形成する排水縦管に接続されているとともに、前記集合継手の上端縁が前記大径部の上端に略一致するように縦管路の大径部に伸頂通気管の下端に繋がる横管が連接される１つの横管路に、前記排水縦管とずれた位置で上階の室外壁面に沿って垂下される伸頂通気管の下端に繋がる横管が接続され、残りの横管路に前記配管空間に配設された最上階の排水の流路となる横枝管が接続されている構成とした。
【０００９】
【発明の実施の形態】
以下に、本発明の実施の形態を、図面を参照しつつ詳しく説明する。
図１は本発明にかかる集合管継手の実施の形態をあらわし、図２は図１の集合管継手を用いた排水配管構造の実施の形態をあらわしている。
【００１０】
図１に示すように、この集合管継手１は、縦管路２と２つの横管路３ａ，３ｂとを備えている。
縦管路２は、大径部２１と小径部２２とが縮径部２３を介して接続された形状をしている。
【００１１】
大径部２１は、上端が閉塞していて、横管路３ａ，３ｂが、その上端縁３１，３１を大径部２１の上端面２１ａに一致させるように連接されている。
縮径部２３は、小径部２２側に向かって徐々に縮径していて、大径部２１に流れ込んだ排水を集水しながら旋回流とするとともに、内面に複数の旋回羽根２４が設けられ、大径部２１側から流れ込んだ排水をこの旋回羽根２４によってより確実な旋回流にして小径部２２に流下させるようになっている。
【００１２】
小径部２２は、その下端が図２に示すように排水縦管８の受口８１に接続されるようになっている。
【００１３】
この集合管継手１は、以上のようになっており、図２に示すように、最上階５と直下の階６とで間取りが異なり、屋上から最上階５の室外壁５１に沿って垂下される伸頂通気管７と下の階６の室外壁６１に沿って垂下される排水縦管８とをずれた位置に設けざるを得ない排水配管構造になる場合でも、最上階５の床５２と下の階６の天井６２との間の配管空間９を他の配管空間９´と略同じ幅にした排水配管構造Ａとすることができる。
【００１４】
すなわち、この排水配管構造Ａは、大径部２１側を上にして集合管継手１の横管路３ａ，３ｂが配管空間９に臨むとともに、小径部２２が排水縦管８に接続されている。また、一方の横管路３ａに伸頂通気管７の下端と接続される横管７１が接続され、他方の横管路３ｂに配管空間９に配管された横枝管９１が接続されている。
【００１５】
そして、横枝管９１および伸頂通気管７に接続される横管７１の接続される横管路３ａ，３ｂの上端縁と大径部２１の閉塞部の上面が一致している。
したがって、配管空間９の幅を略横枝管９１の配管スペースだけにすることができ、他の配管空間９´と同じにすることができる。
【００１６】
因みに、呼び径１００ｍｍ（外径１１４．３ｍｍ）および呼び径８０ｍｍ（外径８９．１ｍｍ）の伸頂通気管７を図２の排水配管構造Ａおよび図３の排水配管構造にそれぞれ配管したところ、図３の排水配管構造の場合、配管空間９を２００ｍｍ程度とらなければならなかったのに対し、図２の排水配管構造Ａの場合、１１０〜１７０ｍｍと、３０〜９０ｍｍ程度縮めることが可能であった。
【００１７】
なお、図２中、９３はスラブである。
【００１８】
本発明にかかる集合管継手は、上記の実施の形態に限定されない。たとえば、上記の集合管継手１では、２つの横管路３ａ，３ｂが同径であったが、異径であっても構わない。また、横管路の数は、３つ以上でも構わない。
また、上記の集合管継手１では、小径部２２の下端が排水縦管８の受口８１に嵌まり込む差口タイプになっていたが、受口タイプにしても構わない。
【００１９】
さらに、上記の集合管継手１では、縮径部２３の内壁面に旋回羽根２４が設けられていたが、旋回羽根２４はなくても構わない。
【００２０】
【発明の効果】
以上のように構成されているので、本発明にかかる集合管継手は、無駄な配管空間を採ることなく、上方から垂下された伸頂通気管あるいは排水縦管を接続することができる。
また、本発明にかかる多層階建築物の排水配管構造は、上記本発明の集合管継手を使用して、上の階と下の階の間取りが異なる場合でも、各階の排水配管空間を一定にすることかできるので、建築物の建築コストを低減することができる。
【図面の簡単な説明】
【図１】本発明にかかる集合管継手の実施の形態をあらわす断面図である。
【図２】図１の集合管継手を用いた多層階建築物の排水配管構造の１例をあらわす断面図である。
【図３】従来の集合管継手を用いた多層階建築物の排水配管構造をあらわす断面図である。
【符号の説明】
Ａ  排水配管構造
１  集合管継手
２  縦管路
２１  大径部
２１ａ  上端面
２２  小径部
２３  縮径部
３ａ，３ｂ  横管路
３１  上端縁
４  排水縦管
５  最上階（上階）
５１  室外壁
５２  床
６  直下の階（下の階）
６１  室外壁
６２  天井
７  伸頂通気管
８  排水縦管
９，９´  配管空間
【図１】
0003586347.tif 000002
【図２】
0003586347.tif 000003
【図３】
0003586347.tif 000004